(57)【要約】      （修正有）【課題】色々の形体の看板を円滑に回転させる回転看板駆動装置を提供する。【解決手段】回転看板駆動装置１００は、立設する支柱の上部に配置されモータ３や枠体７を固定してモータ回転を伝達する伝達機構部４を介して支持軸の回りに回転するケース本体２を有し、支持軸の上部には動力源からのリード線１２が連結するコレクターリング５が連結され、コレクターリングにはモータや看板８の照明に連結するリード線を有すると共にスプリング力によって押圧するブラシを有するブラッシアッセンブリ６がケース本体側に固定されて配置される。【選択図】図２
0003226328.tif 000002
【実用新案登録請求の範囲】
【請求項１】
立設する支柱の上部に設置される看板を回転させる回転看板駆動装置であって、該装置は、前記看板内に枠体を介して該看板を保持して配置されるものからなり、その構成要素としは、前記支柱上に立設して配置される支持軸と、該支持軸に枢支されるケース本体と、該ケース本体又は枠体に固定されるモータと、該モータの回転を前記ケース本体に伝達する伝達機部と、前記支持軸上に配置されるコレクターリングと、該コレクターリングのリングにスプリング力を介して押圧されるブラシを有し前記モータや前記看板の照明に連結されるリード線を有するブラッシアッセンブリと、前記ケース本体側に固定される前記枠体とからなり、前記コレクターリングのリングには動力源からのリード線が前記支柱や支持軸の中空孔を通って連結されることを特徴とする回転看板駆動装置。
【考案の詳細な説明】
【技術分野】
【０００１】  本考案は、立設されている看板を保持して回転するための回転看板駆動装置（アドローター）に関する。
【背景技術】
【０００２】  看板としては各種のものがあるが目を引くものとして回転する看板が各所において使用されている。この看板を回転させる装置としては各種のものがあり例えば「特許文献１」の如きものがある。
【先行技術文献】
【特許文献】
【０００３】
【特許文献１】特願平４−３５１５９５（１）
【０００４】  「特許文献１」の「特願平４−３５１５９５」の「看板回転装置」には看板を回転させるための装置が図示されているがその内容については明確に説明されていない。又、その他の公知資料においても看板回転装置について明示されているものは見当たらない。
【考案の概要】
【考案が解決しようとする課題】
【０００５】  本考案は、以上の状況の認識の上に立って考案されたものであり、各種形状の看板に適用可能であり、特に矩形型の看板に適用可能な回転看板駆動装置を創案することを目的にしたものである。
【課題を解決するための手段】
【０００６】  本考案は、以上の目的を達成するために請求項１の考案は、立設する支柱の上部に設置される看板を回転させる回転看板駆動装置であって、該装置は、前記看板内に枠体を介して該看板を保持して配置されるものからなり、その構成要素としは、前記支柱上に立設して配置される支持軸と、該支持軸に枢支されるケース本体と、該ケース本体又は枠体に固定されるモータと、該モータの回転を前記ケース本体に伝達する伝達機部と、前記支持軸上に配置されるコレクターリングと、該コレクターリングのリングにスプリング力を介して押圧されるブラシを有し前記モータや前記看板の照明に連結されるリード線を有するブラッシアッセンブリと、前記ケース本体側に固定される前記枠体とからなり、前記コレクターリングのリングには動力源からのリード線が前記支柱や支持軸の中空孔を通って連結されることを特徴とする。
【考案の効果】
【０００７】  本考案の請求項１の回転看板駆動装置によれば、動力源からの電流はコレクターリングやブラッシアッセンブリを介してモータや看板の照明に伝達されケース本体や枠体を回転させ枠体に固定されている看板を回転させることが円滑に行われる。
【図面の簡単な説明】
【０００８】
【図１】  本考案の回転看板駆動装置によって回転される回転看板の全体構造を示す正面図。
【図２】  本考案の回転看板駆動装置の全体構造の概要を示す正面図。
【図３】  本考案の回転看板駆動装置のコレクターリングとブラッシアッセンブリを示す正面図（ａとその上面図）。
【考案を実施するための形態】
【０００９】  以下、本考案の回転看板駆動装置の実施の形態を図面で参照して詳説する。
【００１０】  図１に示すように、土台９から立設する支柱１０の上部には本考案の回転看板駆動装置１００が設けられている。この回転看板駆動装置１００の構成要素の一つである枠体７の上面には看板８が固定されている。勿論、看板８の形状やその固定方法は図示の内容に固定されるものではないが一例として挙げたものである。
【００１１】  図２は本考案の回転看板駆動装置１００の一例を示したものである。
回転看板駆動装置１００の構成要素としては先ず支柱１０の上部に連結固定されて立設する支持軸１と、支持軸１に枢支されているケース本体２と、ケース本体２又は後に説明する枠体７に固定されているモータ３と、モータ３の回転をケース本体２に伝える伝達機構部４と、支持軸１の上部に固定されるコレクターリング５と、これに接触するブラッシアッセンブリ６と。前記構成要素を被包して配設されケース本体２に固定される枠体７からなる。
【００１２】  支柱１０や支持軸１及びコレクターリング５には中空孔が形成されており、動力源１１からのリード線１２はこの中空孔を通ってコレクターリング５のリング５ａに固定される。
ブラッシアッセンブリ６はリング５ａにスプリング６ｂを介して接触するブラシ６ａとブラシ６ａに連結するリード線６ｃ等からなり、リード線６ｃはモータ３や看板８の図略の照明に連結されている。
【００１３】  伝達機構部４は図２に示すようにモータ３に連結されるベルト機構４ａやこれに連結されているギヤー機構等からなり、ケース本体２内に配設されているギヤー機構についてはここでは省略している。
【００１４】  以上の構造の回転看板駆動装置１００により動力源１１からの電流によりケース本体２や枠体７が回転し、枠体７に固定されている看板８が回転することになる。
【００１５】  本考案の回転看板駆動装置は以上の説明の内容からなるが、その構成要素の構造は前記の内容に限定するものではなく一般技術的範疇のものが適用されることは勿論である。
【産業上の利用可能性】
【００１６】  本考案の回転看板駆動装置は全ての形状の回転看板に適用可能であり、その利用範囲は極めて広い。
【符号の説明】
【００１７】Ｉ      支持軸
２      ケース本体
３      モータ
４      伝達機構部
５      コレクターリング
５ａ    リング
６      ブラッシアッセンブリ
６ａ    ブラシ
６ｂ    スプリング
６ｃ    リード線
７      枠体
８      看板
９      土台
１０    支柱
１１    動力源
１２    リード線
１００  回転看板駆動装置
【図１】
0003226328.tif 000003
【図２】
0003226328.tif 000004
【図３】
0003226328.tif 000005
【手続補正書】
【提出日】令和2年3月3日(2020.3.3)
【手続補正１】
【補正対象書類名】実用新案登録請求の範囲
【補正対象項目名】請求項１
【補正方法】変更
【補正の内容】
【請求項１】
立設する支柱の上部に設置される看板を回転させる回転看板駆動装置であって、該回転看板駆動装置は、前記看板内に枠体を介して該看板を保持して配置されるものからなり、前記支柱上に立設して配置される支持軸と、該支持軸に枢支されるケース本体と、該ケース本体又は枠体に固定されるモータと、該モータの回転を前記ケース本体に伝達する伝達機構部と、前記支持軸上に配置されるコレクターリングと、該コレクターリングのリングにスプリング力を介して押圧されるブラシを有し前記モータや前記看板の照明に連結されるリード線を有するブラッシアッセンブリと、前記ケース本体側に固定される前記枠体とからなり、前記コレクターリングのリングには電力源からのリード線が前記支柱や支持軸の中空孔を通って連結されることを特徴とする回転看板駆動装置。
【手続補正２】
【補正対象書類名】明細書
【補正対象項目名】０００５
【補正方法】変更
【補正の内容】
【０００５】  本考案は以上の目的を達成するために、請求項１の考案は、立設する支柱の上部に設置される看板を回転させる回転看板駆動装置であって、該回転看板駆動装置は、前記看板内に枠体を介して該看板を保持して配置されるものからなり、前記支柱上に立設して配置される支持軸と、該支持軸に枢支されるケース本体と、該ケース本体又は枠体に固定されるモータと、該モータの回転を前記ケース本体に伝達する伝達機構部と、前記支持軸上に配置されるコレクターリングと、該コレクターリングのリングにスプリング力を介して押圧されるブラシを有し前記モータや前記看板の照明に連結されるリード線を有するブラッシアッセンブリと、前記ケース本体側に固定される前記枠体とからなり、前記コレクターリングのリングには電力源からのリード線が前記支柱や支持軸の中空孔を通って連結されることを特徴とする。